(57)【特許請求の範囲】
【請求項１】
所定の放送局により放送される所定の番組を含む信号を受信し、
前記信号を処理して、前記番組の映像を所定の表示部に表示させる受信方法において、
第１の操作部が操作されると、その操作に対応する前記放送局を選択し、
選択された前記放送局により放送される番組の映像を表示し、
前記選択された放送局により放送される番組の映像とともに、前記選択された放送局に対応するマークを表示する状態、前記マークおよび前記選択された放送局が放送中の番組のタイトルを表示する状態、または、表示されている前記マークおよび前記タイトルを消去した状態を、第２の操作部が操作される毎に、所定の順番で、順次切り換えて表示する
ことを特徴とする受信方法。
【請求項２】
前記タイトルまたは前記マークとともに、その番組を放送した放送局に対応するチャンネル番号を表示する
ことを特徴とする請求項１に記載の受信方法。
【請求項３】
前記マークおよび前記タイトルは、前記表示部の所定の位置にそれぞれ表示される
ことを特徴とする請求項１に記載の受信方法。
【請求項４】
前記マークは、予めメモリに記憶されている前記マークのデータが読み出されて表示される
ことを特徴とする請求項１に記載の受信方法。
【請求項５】
所定の放送局により放送される所定の番組を含む信号を受信する受信手段と、
前記信号を処理して、前記番組の映像を所定の表示部に表示させる処理手段とを備える受信装置において、
前記処理手段は、第１の操作部が操作されると、その操作に対応する前記放送局を選択し、選択された前記放送局により放送される番組の映像を表示し、前記選択された放送局により放送される番組の映像とともに、前記選択された放送局に対応するマークを表示する状態、前記マークおよび前記選択された放送局が放送中の番組のタイトルを表示する状態、または、表示されている前記マークおよび前記タイトルを消去した状態を、第２の操作部が操作される毎に、所定の順番で、順次切り換えて表示する
ことを特徴とする受信装置。
【発明の詳細な説明】
【０００１】
【発明の属する技術分野】
本発明は、受信方法および受信装置に関し、特に、所定の操作部が操作されたとき、番組の映像とともに、番組のタイトルや、その番組を放送した放送局に対応するマークを表示させる受信方法および受信装置に関する。
【０００２】
【従来の技術】
従来の地上波を利用したテレビジョン放送においては、番組を提供する放送局の数（即ち、チャンネル数）はあまり多くないので、テレビジョン受像機においては、受信した番組の映像とともに、その番組を放送した放送局に対応するチャンネル番号を、ＣＲＴなどに表示させることにより、現在選択されているチャンネル番号（即ち、放送局）を、ユーザ（視聴者）に対して知らせている。
【０００３】
【発明が解決しようとする課題】
しかしながら、上述の方法においては、今後、例えばデジタル衛星放送のように多チャンネルの放送が開始され、チャンネル数が大幅に増加した場合、現在選択されているチャンネル番号を知らせるだけでは、そのチャンネル番号に対応する放送局を認識させることが困難であり、ユーザが番組表などを見ることなく、現在選択されている放送局を直感的に知ることが困難になるという問題を有している。
【０００４】
本発明は、このような状況に鑑みてなされたもので、番組の映像とともに、その番組を放送した放送局に対応するマークを表示させるようにして、現在選択されている放送局をユーザに直感的に知らせるものである。
【０００５】
【課題を解決するための手段】
請求項１に記載の受信方法は、第１の操作部が操作されると、その操作に対応する放送局を選択し、選択された放送局により放送される番組の映像を表示し、選択された放送局により放送される番組の映像とともに、選択された放送局に対応するマークを表示する状態、マークおよび選択された放送局が放送中の番組のタイトルを表示する状態、または、表示されているマークおよびタイトルを消去した状態を、第２の操作部が操作される毎に、所定の順番で、順次切り換えて表示することを特徴とする。
【０００６】
請求項５に記載の受信装置は、第１の操作部が操作されると、その操作に対応する放送局を選択し、選択された放送局により放送される番組の映像を表示し、選択された放送局により放送される番組の映像とともに、選択された放送局に対応するマークを表示する状態、マークおよび選択された放送局が放送中の番組のタイトルを表示する状態、または、表示されているマークおよびタイトルを消去した状態を、第２の操作部が操作される毎に、所定の順番で、順次切り換えて表示する処理手段を備えることを特徴とする。
【０００７】
請求項１に記載の受信方法においては、第１の操作部が操作されると、その操作に対応する放送局が選択され、選択された放送局により放送される番組の映像が表示される。そして、選択された放送局により放送される番組の映像とともに、選択された放送局に対応するマークを表示する状態、マークおよび選択された放送局が放送中の番組のタイトルを表示する状態、または、表示されているマークおよびタイトルを消去した状態が、第２の操作部が操作される毎に、所定の順番で、順次切り換えられて表示される。
【０００８】
請求項５に記載の受信装置においては、第１の操作部が操作されると、その操作に対応する放送局が選択され、選択された放送局により放送される番組の映像が表示される。そして、選択された放送局により放送される番組の映像とともに、選択された放送局に対応するマークを表示する状態、マークおよび選択された放送局が放送中の番組のタイトルを表示する状態、または、表示されているマークおよびタイトルを消去した状態が、第２の操作部が操作される毎に、所定の順番で、順次切り換えられて表示される。
【０００９】
【発明の実施の形態】
図１は、本発明を応用したＡＶ（Ａｕｄｉｏ  Ｖｉｄｅｏ）システムの構成例を示している。この実施例の場合、ＡＶシステムは、図示せぬ送信装置より衛星（放送衛星または通信衛星）を介して伝送されてきた電波を、パラボラアンテナ１で受信した信号を復調するＩＲＤ（Ｉｎｔｅｇｒａｔｅｄ  Ｒｅｃｅｉｖｅｒ／Ｄｅｃｏｄｅｒ）２と、テレビジョン受像機３により構成されている。
【００１０】
ＩＲＤ２（またはテレビジョン受像機３）に対しては、リモートコマンダ６により赤外線（ＩＲ：Ｉｎｆｒａｒｅｄ）信号により指令を入力することができるようになされている。即ち、リモートコマンダ６のスイッチの所定のものを操作すると、それに対応するＩＲ信号がそのＩＲ信号発信部７２（図４）から出射され、ＩＲＤ２のＩＲ信号受信部３９（図２）に入射されるようになされている。
【００１１】
ＩＲＤ２は、その出力を、例えば、コンポジットビデオ信号線、オーディオＬ信号線、オーディオＲ信号線の３本の線により構成されるＡＶライン４を介してテレビジョン受像機３に供給している。さらに、ＩＲＤ２はＡＶ機器制御信号送受信部２Ａを、テレビジョン受像機３はＡＶ機器制御信号送受信部３Ａを、それぞれ有している。これらは、ワイヤードＳＩＲＣＳ（Ｗｉｒｅｄ  Ｓｏｎｙ  Ｉｎｆｒａｒｅｄ  Ｒｅｍｏｔｅ  Ｃｏｎｔｒｏｌ  Ｓｙｓｔｅｍ）（商標）よりなるコントロールライン５により、相互に接続されている。
【００１２】
図２は、ＩＲＤ２の正面の構成例を表している。筐体５１の中央には蓋５２が開閉自在に設けられ、内部にＩＣカード３３を装着できるようになされている。ＩＲＤ２の左側には、電源キー５３が設けられている。この電源キー５３は、電源をオンまたはオフするとき操作される。電源キー５３の下方には、リモートコマンダ６からのＩＲ信号を受信するＩＲ信号受信部３９が設けられている。
【００１３】
ＬＥＤ５５は、衛星を介して、このＩＲＤ２に対して、所定のメッセージが伝送されてきたとき、点灯するようになされている。ユーザがこのメッセージをテレビジョン受像機３に出力し、表示させ、これを確認したとき、ＬＥＤ５５は消灯される。ＬＥＤ５５の下に配置されているＬＥＤ５６は、ＩＲＤ２が電話回線を介して通信中であるとき点灯する。
【００１４】
番組ガイドキー５７とメニューキー５８は、それぞれテレビジョン受像機３に電子番組ガイドまたはメニューを表示させるとき操作される。
【００１５】
決定キー６５の周囲の上下左右には、それぞれアップキー６１、ダウンキー６２、レフトキー６３およびライトキー６４が環状に配置されている。これらのアップキー６１、ダウンキー６２、レフトキー６３およびライトキー６４（以下、これらのキーを、適宜、方向キーとも称する）は、カーソルを上下左右方向に移動するとき操作される。また、決定キー６５は、選択を決定するとき（セレクトするとき）操作される。チャンネルアップキー５９とチャンネルダウンキー６０は、受信しているチャンネルをアップまたはダウンさせるとき操作される。
【００１６】
図３は、ＩＲＤ２の内部の構成例を示している。パラボラアンテナ１のＬＮＢ（Ｌｏｗ  Ｎｏｉｓｅ  Ｂｌｏｃｋ  ｄｏｗｎｃｏｎｖｅｒｔｅｒ）１ａより出力されたＲＦ信号は、フロントエンド２０のチューナ２１に供給され、復調される。チューナ２１の出力は、ＱＰＳＫ復調回路２２に供給され、ＱＰＳＫ復調される。ＱＰＳＫ復調回路２２の出力は、エラー訂正回路２３に供給され、エラーが検出、訂正され、必要に応じて補正される。
【００１７】
ＣＰＵ、ＲＯＭおよびＲＡＭ等からなるＩＣカード３３には、暗号を解読するために必要なキーが、解読プログラムとともに格納されている。衛星を介して送信される信号が暗号化されている場合、この暗号を解読するにはキーと解読処理が必要となる。そこで、カードリーダインタフェース３２を介してＩＣカード３３からこのキーが読み出され、デマルチプレクサ２４に供給される。デマルチプレクサ２４は、このキーを利用して、暗号化された信号を解読する。
【００１８】
尚、このＩＣカード３３には、暗号解読に必要なキーと解読プログラムの他、課金情報なども格納されている。
【００１９】
デマルチプレクサ２４は、フロントエンド２０のエラー訂正回路２３の出力する信号の入力を受け、これをデータバッファメモリ（ＤＲＡＭ（Ｄｙｎａｍｉｃ  Ｒａｎｄｏｍ  Ａｃｃｅｓｓ  Ｍｅｍｏｒｙ）またはＳＲＡＭ（Ｓｔａｔｉｃ  Ｒａｎｄｏｍ  Ａｃｃｅｓｓ  Ｍｅｍｏｒｙ））３５に一旦記憶させる。そして、適宜これを読み出し、解読したビデオ信号をＭＰＥＧビデオデコーダ２５に供給し、解読したオーディオ信号をＭＰＥＧオーディオデコーダ２６に供給する。
【００２０】
ＭＰＥＧビデオデコーダ２５は、入力されたデジタルビデオ信号をＤＲＡＭ２５ａに適宜記憶させ、ＭＰＥＧ方式により圧縮されているビデオ信号のデコード処理を実行する。デコードされたビデオ信号は、ＮＴＳＣエンコーダ２７に供給され、ＮＴＳＣ方式の輝度信号（Ｙ）、クロマ信号（Ｃ）、およびコンポジット信号（Ｖ）に変換される。輝度信号とクロマ信号は、バッファアンプ２８Ｙ，２８Ｃを介して、それぞれＳビデオ信号として出力される。また、コンポジット信号は、バッファアンプ２８ＶからＡＶライン４を介して出力される。
【００２１】
なお、このＭＰＥＧビデオデコーダ２５としては、ＳＧＳ−Ｔｈｏｍｓｏｎ  Ｍｉｃｒｏｅｌｅｃｔｒｏｎｉｃｓ社のＭＰＥＧ２復号化ＬＳＩ（ＳＴｉ３５００）を用いることができる。その概略は、例えば、日経ＢＰ社「日経エレクトロニクス」１９９４．３．１４（ｎｏ．６０３）第１０１頁乃至第１１０頁に、Ｍａｒｔｉｎ  Ｂｏｌｔｏｎ氏により紹介されている。
【００２２】
また、ＭＰＥＧ２−Ｔｒａｎｓｐｏｒｔｓｔｒｅａｍに関しては、アスキー株式会社１９９４年８月１日発行の「最新ＭＰＥＧ教科書」第２３１頁乃至第２５３頁に説明がなされている。
【００２３】
ＭＰＥＧオーディオデコーダ２６は、デマルチプレクサ２４より供給されたデジタルオーディオ信号をＤＲＡＭ２６ａに適宜記憶させ、ＭＰＥＧ方式により圧縮されているオーディオ信号のデコード処理を実行する。デコードされたオーディオ信号は、Ｄ／Ａ変換器３０においてＤ／Ａ変換され、左チャンネルのオーディオ信号は、バッファアンプ３１ＬからＡＶライン４を介して出力され、右チャンネルのオーディオ信号は、バッファアンプ３１ＲからＡＶライン４を介して出力される。
【００２４】
ＲＦモジュレータ４１は、ＮＴＳＣエンコーダ２７が出力するコンポジット信号と、Ｄ／Ａ変換器３０が出力するオーディオ信号とをＲＦ信号に変換して出力する。また、このＲＦモジュレータ４１は、ＴＶモードが設定されたとき、ケーブルボックス等のＡＶ機器から入力されるＮＴＳＣ方式のＲＦ信号をスルーして、ＶＣＲや他のＡＶ機器（いずれも図示せず）にそのまま出力する。
【００２５】
この実施例の場合、これらのビデオ信号およびオーディオ信号が、ＡＶライン４を介してテレビジョン受像機３に供給されることになる。
【００２６】
ＣＰＵ（Ｃｅｎｔｒａｌ  Ｐｒｏｃｅｓｓｉｎｇ  Ｕｎｉｔ）２９は、ＲＯＭ３７に記憶されているプログラムに従って各種の処理を実行する。例えば、チューナ２１、ＱＰＳＫ復調回路２２、エラー訂正回路２３などを制御する。また、ＡＶ機器制御信号送受信部２Ａを制御し、コントロールライン５を介して、他のＡＶ機器（この実施例の場合、テレビジョン受像機３）に所定のコントロール信号を出力し、また、他のＡＶ機器からのコントロール信号を受信する。
【００２７】
このＣＰＵ２９に対しては、フロントパネル４０の各種のキー（図２）を操作して、所定の指令を直接入力することができる。また、リモートコマンダ６（図４）を操作すると、そのＩＲ信号発信部７２よりＩＲ信号が出射され、このＩＲ信号がＩＲ信号受信部３９により受光され、受光結果がＣＰＵ２９に供給される。従って、リモートコマンダ６を操作することによっても、ＣＰＵ２９に所定の指令を入力することができる。
【００２８】
また、デマルチプレクサ２４は、フロントエンド２０から供給されるＭＰＥＧビデオデータとオーディオデータ以外にＥＰＧ（Ｅｌｅｃｔｒｉｃａｌ  Ｐｒｏｇｒａｍ  Ｇｕｉｄｅ）データなどを取り込み、データバッファメモリ３５のＥＰＧエリア３５Ａに供給し、記憶させる。ＥＰＧ情報は現在時刻から２４時間後（ＥＰＧ２とＥＰＧ１−２の場合）、または１５０時間後（ＥＰＧ２，ＥＰＧ３と、ＥＰＧ１−２，ＥＰＧ１−３の場合）までの各放送チャンネルの番組に関する情報（例えば、番組の静止画の他、チャンネル、放送時間、タイトル、カテゴリ等）を含んでいる。このＥＰＧ情報は、頻繁に伝送されてくるため、ＥＰＧエリア３５Ａには常に最新のＥＰＧを保持することができる。
【００２９】
ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）３８には、電源オフ後も保持しておきたいデータ（例えばチューナ２１の４週間分の受信履歴、所定の操作が行われる直前に受信していたチャンネル番号（ラストチャンネル））などが適宜記憶される。そして、この記憶は、例えば、電源がオンされたとき、ラストチャンネルと同一のチャンネルを再び受信させるとき利用される。ラストチャンネルが記憶されていない場合においては、ＲＯＭ３７にデフォルトとして記憶されているチャンネルが受信される。
【００３０】
また、ＣＰＵ２９は、スリープモードが設定されている場合、電源オフ時であっても、フロントエンド２０、デマルチプレクサ２４、データバッファメモリ３５など、最低限の回路を動作状態とし、受信信号に含まれる時刻情報から現在時刻を計時し、所定の時刻に各回路に所定の動作をさせる制御なども実行する。例えば、外部のＶＣＲと連動して、タイマ自動録画を実行する。
【００３１】
さらに、ＣＰＵ２９は、所定のＯＳＤ（Ｏｎ−Ｓｃｒｅｅｎ  Ｄｉｓｐｌａｙ）データを発生したいとき、ＭＰＥＧビデオデコーダ２５を制御する。ＭＰＥＧビデオデコーダ２５は、この制御に対応して所定のＯＳＤデータを生成して、ＤＲＡＭ２５ａのＯＳＤエリアに書き込み、さらに読み出して、出力する。これにより、所定の文字、図形、画像（例えば、通常の画面に重畳されている文字、シンボル、アイコン、スクリーン）などを適宜テレビジョン受像機３に出力し、表示させることができる。
【００３２】
ＳＲＡＭ３６はＣＰＵ２９のワークメモリとして使用される。モデム３４は、ＣＰＵ２９の制御の下に、電話回線を介してデータを授受する。
【００３３】
図４は、リモートコマンダ６の構成例を表している。その上部には、各種のキーの操作に対応するＩＲ信号発生するＩＲ信号発信部７２が設けられている。電源キー７３は、ＩＲＤ２の電源をオンまたはオフするとき操作され、テレビ電源キー７４は、テレビジョン受像機３の電源をオンまたはオフするとき操作される。消音キー７５は、音声信号をミュートするとき、またはミュートを解除するとき操作される。切換キー７６は、このリモートコマンダ６により、ＩＲＤ２を遠隔制御するとき操作され、切換キー７７は、このリモートコマンダ６により、テレビジョン受像機３を遠隔操作するとき操作される。
【００３４】
入力切換キー７８は、ＩＲＤ２またはテレビジョン受像機３に対する入力を切り換えるとき操作される。画面表示キー７９は、テレビジョン受像機３に所定の電子番組ガイドの文字などが表示される状態を切り換えるとき操作される。二重音声キー８０は、音声チャンネルとして複数のチャンネルが存在するとき、これを切り換えるとき操作される。
【００３５】
テンキー８１は、０乃至９の数字を入力するとき操作される。また、数字０のキーと「選局」のキーは、数字１０または１２を入力するとき操作され、両者の間に配置されているキーは、数字１１を入力するとき操作される。
【００３６】
メニューキー８２は、メニューを表示させるとき操作され、プロモーションキー（プロモキー）８３は、プロモーションチャンネルを表示させるとき操作される。番組説明キー８４は、電子番組ガイドのうちの番組説明情報を表示させるとき操作される。マルチキー８５は、電子番組ガイドとして、各放送チャンネルの縮小画面を１画面内に、例えば４×４個のマルチ画面として表示させるとき操作される。番組ガイドキー８６は、電子番組ガイドを表示させるとき操作される。ジャンプキー８７は、ラストチャンネルに移行するとき操作される。
【００３７】
アップキー８８、ダウンキー８９、レフトキー９０およびライトキー９１（これらのキーも、以下、適宜、方向キーとも称する）は、それぞれカーソルを上下左右方向に移動させるとき操作され、これらのキーの中央に配置されている決定キー９２は、選択の決定を入力するとき操作される。チャンネルアップダウンキー９４は、受信するチャンネルを１ずつインクリメントまたはデクリメントするとき操作される。このアップキー８８、ダウンキー８９、レフトキー９０、ライトキー９１、決定キー９２は、図２に示す、ＩＲＤ２の本体に設けられているアップキー６１、ダウンキー６２、レフトキー６３、ライトキー６４および決定キー６５と対応するものであり、その配置形状も対応するようになされている。また、チャンネルアップダウンキー９４は、図２のチャンネルアップキー５９およびチャンネルダウンキー６０に対応している。
【００３８】
音量アップダウンキー９３は、音量を一定量ずつ、増加または減少するとき操作される。
【００３９】
次に、その基本的な動作について説明する。ユーザが、リモートコマンダ６の例えばテンキー８１を操作して、所定のチャンネル番号を入力すると、その入力された番号に対応するＩＲ信号が、ＩＲ信号発信部７２から出力される。このＩＲ信号は、ＩＲＤ２のＩＲ信号受信部３９で受信される。ＣＰＵ２９は、ＩＲ信号受信部３９から、ＩＲ信号に対応する信号の供給を受けたとき、入力された番号に対応するチャンネルを受信するようにチューナ２１を制御する。
【００４０】
チューナ２１は、ＬＮＢ１ａから供給される信号からＣＰＵ２９により指定されたチャンネル番号に対応する信号を復調し、ＱＰＳＫ復調回路２２に出力する。ＱＰＳＫ復調回路２２でＱＰＳＫ復調された信号は、さらにエラー訂正回路２３に入力され、エラー訂正処理が施された後、デマルチプレクサ２４に入力される。デマルチプレクサ２４においては、入力されたデータがビデオデータとオーディオデータとに分離され、ビデオデータはＭＰＥＧビデオデコーダ２５に、オーディオデータはＭＰＥＧオーディオデコーダ２６に、それぞれ供給される。ＭＰＥＧビデオデコーダ２５は、入力されたビデオデータを、ＭＰＥＧ方式でデコード処理した後、ＮＴＳＣエンコーダ２７に出力する。ＮＴＳＣエンコーダ２７は、入力されたビデオデータをＮＴＳＣ方式のビデオ信号に変換する。このビデオ信号は、例えばアンプ２８Ｖを介して、コンポジットビデオ信号として、ＡＶライン４を介してテレビジョン受像機３に供給される。
【００４１】
なお、受信した番組のデータには、ビデオデータとオーディオデータの他、その番組のタイトルや放送局のロゴマークのデータなどが含まれており、これらのデータは、デマルチプレクサ２４からＣＰＵ２９に供給され、さらに、ＳＲＡＭ３６に記憶される。
【００４２】
また、ＭＰＥＧオーディオデコーダ２６は、入力されたオーディオデータをＭＰＥＧ方式でデコードし、Ｄ／Ａ変換器３０に出力する。Ｄ／Ａ変換器３０は、入力されたオーディオデータをＤ／Ａ変換し、左右のアナログオーディオ信号として、アンプ３１Ｌ，３１Ｒを介して出力する。このオーディオ信号も、ＡＶライン４を介してテレビジョン受像機３に出力される。このようにして、テレビジョン受像機３に、ユーザがリモートコマンダ６を操作して指令した番組の画像と音声が出力される。
【００４３】
次に、図５のフローチャートを参照して、所定の番組の映像がテレビジョン受像機３に表示されている場合における、チャンネル番号、放送局のロゴマーク、および、番組のタイトルの表示を切り換えるときの動作について説明する。
【００４４】
最初にステップＳ１において、ＣＰＵ２９は、リモートコマンダ６の画面表示キー７９が操作されるまで待機する。このとき、例えば、図６に示すように番組の映像だけが表示される。
【００４５】
そして、ステップＳ１において画面表示キー７９が操作され、その操作に対応する信号が、ＩＲ信号受信部３９を介して供給されると、ＣＰＵ２９は、ステップＳ２において、その番組を放送している放送局のロゴマークのデータをＳＲＡＭ３６から読み出し、図７に示すように、そのロゴマーク１０１とチャンネル番号１０２をテレビジョン受像機３の表示部の所定の位置（例えば、画面上方）に表示させる。
【００４６】
次に、ステップＳ３において、ＣＰＵ２９は、リモートコマンダ６の画面表示キー７９が操作されるまで待機する。なお、このとき、受信した番組の映像は、表示され続ける。
【００４７】
そして、ステップＳ３において、さらに画面表示キー７９が操作され、その操作に対応する信号がＩＲ信号受信部３９を介して供給されると、ＣＰＵ２９は、ステップＳ４において、図８に示すように、ロゴマーク１０１とチャンネル番号１０２に加え、現在表示されている番組のタイトル１０３をテレビジョン受像機３の表示部の所定の位置（例えば、画面上方）に表示させる。
【００４８】
次に、ステップＳ５において、ＣＰＵ２９は、リモートコマンダ６の画面表示キー７９が操作されるまで待機する。なお、このとき、受信した番組の映像は、表示され続ける。
【００４９】
そして、ステップＳ５において、さらに画面表示キー７９が操作され、その操作に対応する信号がＩＲ信号受信部３９を介して供給されると、ＣＰＵ２９は、ステップＳ６において、表示されているロゴマーク１０１、チャンネル番号１０２、および、番組のタイトル１０３を画面から消去する。従って、図６に示すように番組の映像だけが表示される。
【００５０】
次に、ステップＳ１に戻り、再びリモートコマンダ６の画面表示キー７９が操作されるまで待機し、リモートコマンダ６の画面表示キー７９が操作されるごとに、放送局のロゴマーク１０１、チャンネル番号１０２、および、番組のタイトル１０３の表示の切り換えを行っていく。
【００５１】
以上のようにして、放送局のロゴマーク、チャンネル番号、および、番組のタイトルの表示の切り換えを行う。このように放送局のロゴマークを表示させることにより、多くのチャンネルが存在する場合においても、現在選択している放送局を直感的に認識することができる。
【００５２】
さらに、放送局のロゴマークに加えて番組のタイトルを表示させることにより、番組表などを参照することなく、簡単に番組のタイトルを知ることができる。また、有料番組や年齢制限された番組などのスクランブル処理が施されている番組に対して、デスクランブル処理を行わなくても（即ち、番組の映像を表示する前に）、タイトルから、その番組の内容を把握することができる。
【００５３】
さらに、画像表示キー７９を操作することにより、表示の切り換えを行うことができるので、チャンネル番号、放送局のロゴマーク、および、番組のタイトルの表示が、番組の映像を視るときに邪魔になる場合は、それらの表示を適宜消去することができる。
【００５４】
なお、上記実施例においては、放送局のロゴマークのデータは、番組の映像とともに受信されているが、例えばＲＯＭ３７やＥＥＰＲＯＭ３８に、放送局のロゴマークのデータを予め記憶させておき、選択しているチャンネル番号に対応する放送局のロゴマークを表示させるようにしてもよい。
【００５５】
【発明の効果】
以上のごとく、請求項１に記載の受信方法および請求項５に記載の受信装置によれば、第１の操作部が操作されると、その操作に対応する放送局を選択し、選択された放送局により放送される番組の映像を表示させる。そして、選択された放送局により放送される番組の映像とともに、選択された放送局に対応するマークを表示する状態、マークおよび選択された放送局が放送中の番組のタイトルを表示する状態、または、表示されているマークおよびタイトルを消去した状態を、第２の操作部が操作される毎に、所定の順番で、順次切り換えて表示させるようにしたので、現在選択されている放送局を直感的に認識させることができる。
【図面の簡単な説明】
【図１】本発明が適用されるＡＶシステムの構成例を示すブロック図である。
【図２】図１のＩＲＤ２の正面の構成例を示す図である。
【図３】図１のＩＲＤ２の内部の構成例を示すブロック図である。
【図４】図１のリモートコマンダ６の構成例を示す図である。
【図５】放送局のロゴマークなどの表示を切り換えるときの動作を説明するフローチャートである。
【図６】番組の映像の一例を示す図である。
【図７】番組の映像とともに表示される放送局のロゴマークとチャンネル番号の一例を示す図である。
【図８】番組のタイトル、放送局のロゴマークおよびチャンネル番号の表示の一例を示す図である。
【符号の説明】
１  パラボラアンテナ，  ２  ＩＲＤ，  ３  テレビジョン受像機，  ６  リモートコマンダ，  ２１  チューナ，  ２３  エラー訂正回路，  ２４  デマルチプレクサ，  ２５  ＭＰＥＧビデオデコーダ，  ２５ａ  ＤＲＡＭ，  ２６  ＭＰＥＧオーディオデコーダ，  ２６ａ  ＤＲＡＭ，  ２９  ＣＰＵ，  ３５  データバッファメモリ，  ３５Ａ  ＥＰＧエリア，  ３６  ＳＲＡＭ，  ３７  ＲＯＭ，  ３８  ＥＥＰＲＯＭ，  ３９  ＩＲ信号受信部
【図１】
0003611001.tif 000002
【図２】
0003611001.tif 000003
【図３】
0003611001.tif 000004
【図４】
0003611001.tif 000005
【図５】
0003611001.tif 000006
【図６】
0003611001.tif 000007
【図７】
0003611001.tif 000008
【図８】
0003611001.tif 000009